(57)【要約】【課題】これまでの杖あるいは松葉杖は、接地部で受ける負荷の一点集中型あるいは前後均等型であり、歩く時の手の軌道に考慮したものがなくそして不自然な歩幅になっていて課題だったのである。【解決手段】本発明は、杖２から掛かる負荷を受ける範囲を杖の後側より前側を広くした杖接地部１にしたものである。【選択図】図１
2008272421.tif 000002
【特許請求の範囲】
【請求項１】
杖２から掛かる負荷を受ける範囲を杖の後側より前側を広くした杖接地部１にした杖。
【請求項２】
これまでの杖から掛かる負荷を受ける範囲を杖の後側より前側を広くした杖接地部。
【請求項３】
松葉杖４から掛かる負荷を受ける範囲を松葉杖の後側より前側を広くした松葉杖接地部３にした松葉杖。
【請求項４】
これまでの松葉杖から掛かる負荷を受ける範囲を松葉杖の後側より前側を広くした松葉杖接地部。
【発明の詳細な説明】
【技術分野】
【０００１】  本発明は、杖あるいは松葉杖の接地部に掛かる負荷を分散と移動させながらもたれ掛かれる範囲を広くそして歩く時の手の軌道に沿うようにした杖に関する。
【背景技術】
【０００２】  従来の杖には、本発明のようなものは見当りませんでした。
【発明の開示】
【発明が解決しようとする課題】
【０００３】  これまでの杖あるいは松葉杖は、接地部で受ける負荷の一点集中型あるいは均等型であり、歩く時の手の軌道に考慮したものがなく、そして不自然な歩幅になっていて課題だったのである。【０００４】  本発明は、負荷を受ける範囲を使い勝手の良さの方向へ変え、歩く時の手の軌道と歩幅をより自然になるようにし課題の解決を目的としたものである。
【課題を解決するための手段】
【０００５】  本発明は、上記目的を達成するために、杖２から掛かる負荷を受ける範囲を杖の後側より前側を広くした杖接地部１にした杖にしたものである。【０００６】  また、これまでの杖にも使用出来るように、これまでの杖から掛かる負荷を受ける範囲を杖の後側より前側を広くした杖接地部１にしたものである。【０００７】  また、松葉杖４から掛かる負荷を受ける範囲を松葉杖の後側より前側を広くした松葉杖接地部３にした松葉杖にしたものである。【０００８】  そして、これまでの松葉杖にも使用出来るように、これまでの松葉杖から掛かる負荷を受ける範囲を松葉杖の後側より前側を広くした松葉杖接地部３にしたものである。【０００９】  上記第１の課題解決手段による作用は次の通りである。
先ず、これまでの杖は、負荷の一点集中受型あるいは前後均等受型であったため、支えにはなっておりましが歩く事への配慮に乏しかったのである。その結果、不自然な手の動きや歩幅になってしまい見た目にもスムーズさがなくいかにもといった感を否めなかったのである。
上述の課題の解決には、人間の足の作用を考えねばならなかったのである。先ずはかかとから接地し接地面で重心移動をさせて行きつま先で蹴るのである。つまり、杖接地部の後側がかかとで前側がつま先であり、そして安定感より生ずる安心感が蹴るようにさせるのであるので、杖からの負荷受範囲を杖接地部の後側より前側を広くしたのである。
手の動きや歩幅が歩き方がスムーズになったものである。また、前側を広くする事は、杖が前傾していながらも支える力を有しより前に進めることになりその力強さが蹴るを生むのである。歩幅を左右するものである。更に、前のめり対策になるものである。前のめりは本当に頭の痛かった事ではないでしょうか。この杖がもっともっと前にあればどれだけ救われたものかと想像しますと、心が痛むものです。【００１０】  そしてこれは、これまでの杖でも杖接地部だけの交換で使用出来るような杖接地部にしたものである。また、この杖接地部は寄り掛けなくても倒れないようにも配慮したものである。【００１１】  これまでの松葉杖を使用した時の肩の軌道は松葉杖を半径とした円弧になっていたのである。そして松葉杖のステップ毎に繰返されるその動きは当然にスムーズさを欠き、脇の下や身体への負担もあり疲れ易く、移動距離にも体力に応じた範囲となってしまっていたのである。
本発明は、前述の杖同様に、松葉杖からの負荷受範囲を松葉杖接地部の後側より前側を広くしたものにすることによって、松葉杖の前方に行く身体に安心感を与え、更に松葉杖が歩くようになり肩の動きもスムーズになり身体への負担も軽減するものである。【００１２】  また、これまでの松葉杖使用者にも松葉杖接地部を変えただけでも、同様の使い心地を味わいながら外出を楽しめるようにしたのである。
以上のように、これまでにない使い心地が得られ信頼感となり、杖への新しいイメージをもたらすものになったのである。
【発明の効果】
【００１３】  上述のように、杖あるいは松葉杖使用者は、これまでの型は常識であり使い心地にも不信を持たなかったのである。でもこの発明により、常識を破られそれどころか一気に杖の新しい幕開けになって行くのである。
【発明を実施するための最良の形態】
【００１４】  以下、本発明の実施の形態を図１〜図８に基づいて説明する。【００１５】  図においては、１は杖接地部で、杖２を後側よりａ・前側よりｂ・内側よりｃ・外側よりｄの位置で固定したものである。【００１６】  また、３は松葉杖接地部で、松葉杖４を後側よりｅ・前側よりｆ・内側よりｇ・外側よりｈの位置で固定したものである。【００１７】  以下、上記構成の動作を説明する。杖２は杖接地部１の後側よりａ・前側よりｂの位置で固定されている。ａは杖接地部後側負荷受位置で杖２が後側に倒れようとした時に負荷を受けてくれる位置で離れているほどその抵抗力が強いのである。ｂは杖接地部前側負荷受位置で杖２が前側に倒れようとした時に負荷を受けてくれる位置で同様に離れているほどその抵抗力が強いのである。ｃは杖接地部内側負荷受位置で同様に離れているほどその抵抗力が強いのである。ｄは杖接地部外側負荷受位置でやはり離れているほどその抵抗力が強いのである。【００１８】  さて、実使用でこの杖は、先ず杖接地部１のかかと部Ａから接地し底部Ｂを通りつま先部Ｃから離れる。杖はこの動作の繰り返しであるが、この途中で次のような事を行っているのである。この杖２は杖接地部１のかかと部Ａから接地した時に杖接地部後側負荷受位置ａの分だけ杖が後側に倒れまいとする抵抗力を感じるのである。そしてその安定力を感じながら底部Ｂを通るのである。その底部Ｂを通る途中で杖２が接地角度垂直を通り過ぎる時から、今度は杖接地部前側負荷受位置ｂの分だけ杖が前側に倒れまいとする抵抗力を感じるのである。そしてその安定力を感じながらつま先部Ｃに来た時にその安心感が手に反射し、つま先部Ｃで蹴っているのである。つまり、この杖２はＡからＢを通りＣまで行く範囲分だけ移動している歩いているのである。そして杖２を持つ手の軌道も歩いているのである。
且つ、この杖の他の大きな特徴は、杖接地部後側負荷受位置ａより杖接地部前側負荷受位置ｂを広くした事である。これは杖を広く歩かせる事もありますが、杖使用での倒れまいとするより安心感が得られるのは前側にあるからなのである。なぜならば転倒事例の多くが杖の前側であるからなのである。【００１９】  そして、上述にある杖接地部であるが、杖接地部後側負荷受位置ａ・杖接地部前側負荷受位置ｂ・杖接地部内側負荷受位置ｃ・杖接地部外側負荷受位置ｄ・かかと部Ａ・底部Ｂ・つま先部Ｃを持つ杖接地部１を独立させ、これまでの杖にも活用出来るようにしたものである。【００２０】  また、松葉杖４は松葉杖接地部３の後側よりｅ・前側よりｆの位置で固定されている。ｅは松葉杖接地部後側負荷受位置で松葉杖４が後側に倒れようとした時に負荷を受けてくれる位置で離れているほどその抵抗力強いのである。ｆは松葉杖接地部前側負荷受位置で松葉杖が前側に倒れようとした時に負荷を受けてくれる位置で同様に離れているほどその抵抗力が強いのである。ｇは松葉杖接地部内側負荷受位置で同様に離れているほどその抵抗力が強いのである。ｈは松葉杖接地部外側負荷受位置でやはり同様に離れているほどその抵抗力が強いのである。【００２１】  実使用でこの松葉杖は、先ず松葉杖接地部３のかかと部Ａから接地し底部Ｂを通りつま先部Ｃから離れる。松葉杖はこの動作の繰り返しであるが、この途中で次のような事を行っているのである。この松葉杖４は、松葉杖接地部３ののかかと部Ａから接地した時に松葉杖接地部後側負荷受位置ｅの分だけ松葉杖が後側に倒れまいとする抵抗力を感じるのである。そしてその安定力を感じながら底部Ｂを通るのである。その底部Ｂを通る途中で松葉杖４が接地角度垂直を過ぎる時から今度は松葉杖接地部前側負荷受位置ｆの分だけ松葉杖が前側に倒れまいとする抵抗力を感じるのである。そしてその安定力を感じながらつま先部Ｃに来た時にその安心感が手に反射し、つま先部Ｃで蹴るのである。つまり、この松葉杖４はＡからＢを通りＣまで行く範囲分だけ移動している歩いているのである。そして松葉杖４を持つ手の軌道も歩いているのである。
且つ、この松葉杖の他の大きな特徴は、松葉杖接地部後側負荷受位置ｅより松葉杖接地部前側負荷受位置ｆを広くした事である。これは、松葉杖使用での倒れまいするより安心感が得られるのは前側にあるからなのであり、なぜならば転倒事例の多くが松葉杖での前側にあるからなのである。【００２２】  そして、上述にある松葉杖接地部であるが松葉杖接地部後側負荷受位置ｅ・松葉杖接地部前側負荷受位置ｆ・松葉杖接地部内側負荷受位置ｇ・松葉杖接地部外側負荷受位置ｈ・かかと部Ａ・底部Ｂ・つま先部Ｃを持つ松葉杖接地部３を独立させ、これまでの松葉杖にも活用出来るようにしたものである。
【図面の簡単な説明】
【００２３】
【図１】  本発明の実施形態を示す杖の外観図
【図２】  同杖の平面図
【図３】  同杖接地部の側面図
【図４】  同杖接地部の平面図
【図５】  同松葉杖の外観図
【図６】  同松葉杖の平面図
【図７】  同松葉杖接地部の側面図
【図８】  同松葉杖接地部の平面図
【符号の説明】
【００２４】  １  杖接地部
２  杖
３  松葉杖接地部
４  松葉杖
Ａ  かかと部
Ｂ  底部
Ｃ  つま先部
ａ  杖接地部後側負荷受位置
ｂ  杖接地部前側負荷受位置
ｃ  杖接地部内側負荷受位置
ｄ  杖接地部外側負荷受位置
ｅ  松葉杖接地部後側負荷受位置
ｆ  松葉杖接地部前側負荷受位置
ｇ  松葉杖接地部内側負荷受位置
ｈ  松葉杖接地部外側負荷受位置
【図１】
2008272421.tif 000003
【図２】
2008272421.tif 000004
【図３】
2008272421.tif 000005
【図４】
2008272421.tif 000006
【図５】
2008272421.tif 000007
【図６】
2008272421.tif 000008
【図７】
2008272421.tif 000009
【図８】
2008272421.tif 000010